(57)【特許請求の範囲】
【請求項１】
スピーカとハードディスクを前面に有し、操作者が向かう方向である前面方向を発音するような向きに当該スピーカが配置される情報処理装置のスピーカ取付装置において、
上記情報処理装置内部に収納空間を形成する筐体の前面側を形成し、少なくとも上記スピーカ及びハードディスクが搭載される筐体前面部と、
上記スピーカと当該スピーカを保持するスピーカ保持部とを有し、上記筐体前面部に取り付けられるスピーカユニットと、を備え、
上記スピーカ保持部は、上記保持するスピーカの背面側から当該スピーカの発音方向とは逆方向に伸びる位置に、当該スピーカ保持部を締結部材を介して上記筐体前面部へ取り付けるための固定部を有し、
上記締結部材の締結方向が当該スピーカの発音方向に対して直交する方向になるように、上記固定部は上記筐体前面部に固定されて、上記スピーカユニットが上記筐体前面部に取り付けられる
ことを特徴とするスピーカ取付装置。
【請求項２】
上記筐体前面部は、上記ハードディスク搭載用のハードディスク開口と当該搭載されるハードディスクを取り付けるための取付部および上記スピーカ搭載用のスピーカ開口がそれぞれ設けられて上記筐体前面部の外側の面を形成する搭載面と、上記スピーカ開口が設けられた位置の後ろ側で上記搭載面の主面に対して交差する方向で筐体内部に向かって平板状に張り出す取付部とをそれぞれ有し、
上記固定部は、上記取付部に重ねられて上記締結部材によって押圧して固定される
ことを特徴とする請求項１に記載のスピーカ取付装置。
【請求項３】
上記スピーカ保持部は、上記スピーカの背面側から当該スピーカの外形を囲むように保持する保持枠を有し、
上記固定部は、上記保持枠の外縁から当該スピーカの振動板の中心寄りの位置を起点として当該スピーカの発音方向とは逆方向に延伸した箇所に設けられる
ことを特徴とする請求項２に記載のスピーカ取付装置。
【請求項４】
上記スピーカ及び上記保持枠が上記スピーカ開口から前側に飛び出る位置に、上記スピーカユニットが上記筐体前面部に取り付けられ、上記保持枠が上記搭載面に直接接しないように、上記保持枠は上記搭載面より所定の隙間分空けた位置に固定される
ことを特徴とする請求項３に記載のスピーカ取付装置。
【請求項５】
上記固定部には、上記取付部側に突出して当該取付部の端面に当接して、スピーカユニットの前方向への位置を規制するストッパーが設けられる
ことを特徴とする請求項２に記載のスピーカ取付装置。
【請求項６】
上記スピーカ保持部は、上記固定部と上記取付部を挟み込んで固定する押さえ部材を有し、
上記押さえ部材は  上記締結部材が装着される第１の押圧部と当該第1の押圧部に対し
て所定間隔空けて平行に設けられる第２の押圧部を有し、
重ねられた上記固定部と上記取付部は、上記第１の押圧部と第２の押圧部の間に挟まれて、上記重ねられた一方の側が上記第２の押圧部で押圧され、上記重ねられた他方の側が第1の押圧部に装着される上記締結部材で押圧される
ことを特徴とする請求項２に記載のスピーカ取付装置。
【請求項７】
上記スピーカ保持部は、さらに、
上記スピーカからの振動を減衰させるための弾性材からなり、上記スピーカと上記保持枠の間に設けられ、上記保持枠を取り付けるためのネジを貫通させる開口が周囲に形成されるクッションと、
上記クッションの開口に挿入され、当該ネジを内部に貫通させる中空のスペーサとを
備え、
上記スペーサの軸方向の長さは、上記クッションの開口近傍の肉厚よりも長いものである
ことを特徴とする請求項３に記載のスピーカ取付装置。
【請求項８】
請求項１〜７のいずれか１項に記載のスピーカ取付装置を備える
ことを特徴とする情報処理装置。
【発明の詳細な説明】
【技術分野】
【０００１】
本発明は、ハードディスク及びスピーカを備える情報処理装置におけるスピーカ取付けの技術に関する。
【背景技術】
【０００２】
銀行の窓口あるいは企業等の業務用に広く利用される情報処理装置は、携帯用のパソコンに比べて大型で、箱型の筺体で構成される。そして、かかる情報処理装置では、筺体の前面に、ハードディスクや各種メディア（ＣＤあるいはＤＶＤ）を交換可能に利用できるマルチドライブ等が搭載される。また、筺体の前面には、警告や音声指示のためのスピーカも配置される。
【０００３】
そして、このようにスピーカとハードディスクが比較的近い距離に設置された場合には、スピーカの振動がハードディスに伝播して、ハードディスクの読み取りエラーを引き起こすという問題が発生する。そのため、以下のような、各種対策が提案されている。
【０００４】
例えば、特許文献１には、スピーカからドライブ装置までの振動伝達距離を実質的に長くなるようにして、ドライブ装置へのスピーカ振動の影響を低減させる情報処理装置が提案されている。また、特許文献２には、スピーカを筐体に取り付けるための腕部の途中にバネ性を備える部分を形成することで、スピーカで発生する振動が筐体のハードディスクに伝達するのを抑制する情報処理装置が提案されている。
【先行技術文献】
【特許文献】
【０００５】
【特許文献１】特開２０１０−６２９１３号公報
【特許文献２】特開２０１１−１７６４４９号公報
【発明の概要】
【発明が解決しようとする課題】
【０００６】
ハードディスクはメンテナンス性から筺体前面に取り付けることが望ましく、また、スピーカは音声指示や警告を操作者に伝えるためから同様に筺体前面に配置されることが求められる。上記で紹介したように、筺体の同じ面にスピーカとハードディスクを取り付ける場合には、スピーカの振動によってハードディスクでの読み取りエラーの発生がないように、何らかの対策が必要になる。つまり、このような情報処理装置では、簡単な構成で確実にスピーカの振動伝達を抑制できるようなスピーカの取り付け装置が望まれる。
【０００７】
本願発明は、上記課題に鑑み、スピーカにより発せられる振動がハードディスクへ伝達されるのを抑制するスピーカ取付装置及び情報処理装置を提供することを目的とする。
【課題を解決するための手段】
【０００８】
上記目的を達成するために第１の発明に係るスピーカ取付装置は、スピーカとハードディスクを前面に有し、操作者が向かう方向である前面方向を発音するような向きに当該スピーカが配置される情報処理装置のスピーカ取付装置において、上記情報処理装置内部に収納空間を形成する筐体の中で主に前面側を形成し、少なくとも上記スピーカ及びハードディスクが搭載される筐体前面部と、上記スピーカと当該スピーカを保持するスピーカ保持部とを有し、上記筐体前面部に取り付けられるスピーカユニットと、を備え、上記スピーカ保持部は、上記保持するスピーカの背面側から当該スピーカの発音方向とは逆方向に伸びる位置に、当該スピーカ保持部を締結部材を介して上記筐体前面部へ取り付けるための平板状の固定部を有し、上記締結部材の締結方向が当該スピーカの発音方向に対して直交する方向になるように、上記固定部は上記筐体前面部に固定されて、上記スピーカユニットが上記筐体前面部に取り付けられることを特徴とする。
【０００９】
また、第２の発明に係るスピーカ取付装置は、第１の発明に係るスピーカ取付装置において、上記筐体前面部は、上記ハードディスク搭載用のハードディスク開口と当該搭載されるハーを取り付けるための取付部および上記スピーカ搭載用のスピーカ開口がそれぞれ設けられて上記筐体前面部の外側の面を形成する搭載面と、上記スピーカ開口が設けられた位置の後ろ側で上記搭載面の主面に対して交差する方向で筐体内部に向かって平板状に張り出す取付部とをそれぞれ有し、上記固定部は、上記取付部に重ねられて上記締結部材によって押圧して固定される。
【００１０】
また、第３の発明に係るスピーカ取付装置は、第２の発明に係るスピーカ取付装置において、上記スピーカ保持部は、上記スピーカの背面側から当該スピーカの外形を囲むように保持する保持枠を有し、上記固定部は、上記保持枠の外縁から当該スピーカの振動板の中心寄りの位置を起点として当該スピーカの発音方向とは逆方向に延伸した箇所に設けられる。
【００１１】
また、第４の発明に係るスピーカ取付装置は、第３の発明に係るスピーカ取付装置において、上記スピーカ及び上記保持枠が上記スピーカ開口から前側に飛び出る位置に、上記スピーカユニットが上記筐体前面部に取り付けられ、上記保持枠が上記搭載面に直接接しないように、上記保持枠は上記搭載面より所定の隙間分空けた位置に固定される。
【００１２】
また、第５の発明に係る情報処理装置は、上記第１から第４のいずれかのスピーカ取付装置を備えることを特徴とする。
【発明の効果】
【００１３】
本発明によれば、スピーカにより発せられる振動がハードディスクへ伝達されるのを抑制するスピーカ取り付け装置及び情報処理装置を提供することができる。
【図面の簡単な説明】
【００１４】
【図１】一実施形態における情報処理装置１の外観図である。
【図２】外装を外した情報処理装置１の内部を左方向から見た斜視図である。
【図３】外装を外した情報処理装置１の内部を右方向から見た斜視図である。
【図４】ハードディスク６０を拡大して示す図である。
【図５】図３で示した筐体前面部２１０の中で、ハードディスク６０及びトレイ５０の部分を拡大して示す図である。
【図６】図３で示した筐体前面部２１０の中で、右側のスピーカ搭載部分を拡大して示す図である。
【図７】スピーカユニット１００を構成する各パーツを、組立て方向に沿って並べた斜視図である。
【図８】スピーカ本体１１０の外観形状を示す図である。
【図９】クッション１２０の外観形状を示す図である。
【図１０】ＳＰ取付部材１４０の外観形状を示す図である。
【図１１】スピーカユニット１００の筐体前面部２１０への取り付け（組立て）を説明する第１の図である。
【図１２】スピーカユニット１００が取り付けられた筐体前面部２１０の部分を、前面右方向から見た斜視図である。
【図１３】スピーカユニット１００が取り付けられた筐体前面部２１０の部分を断面で示す図である。
【図１４】筐体前面部２１０に取り付けられたスピーカユニット１００の断面を、図１３とは異なる態様で示す図である。
【図１５】スピーカユニット１００が取り付けられた筐体前面部２１０の部分を示す図である。
【図１６】従来のスピーカ取付けの１例を示す図である。
【発明を実施するための形態】
【００１５】
以下、図面に従って本発明の実施形態を説明する。図１は、本発明を適用した情報処理装置１の外観図である。情報処理装置を操作する操作者から見た場合の図である。まず、以下で説明する「方向」の表現を規定しておく。「幅方向(横方向とも称す)」、「奥行き方向（前後方向とも称す）」、「高さ方向」を、それぞれ図１の矢印で示す。つまり、「左右」、「前側後側」は、操作者がいる前面から見た場合を基準として表現する。
【００１６】
情報処理装置１は、略直方体の箱型形状で、トップカバー１０とフロントパネル１２からなる外装部材によって、内部全体が保護される。トップカバー１０は、情報処理装置１の上面と左右側面を遮蔽する。トップカバー１０は、例えば、左右側面が折曲げられた金属板から構成され、後述する内部の筐体に左右の側面からネジやロック機構（不図示）等で固定される。
【００１７】
フロントパネル１２は、情報処理装置１の前面に設けられる化粧用のカバーである。例えば、樹脂成型品から構成される。フロントパネル１２の上面全体と前面の右上には、通気孔が列状に形成される。前面の右上の通気孔は、内部の要素部品から発せられる熱を逃がすための開口であるとともに、内部に取り付けられたスピーカの音を操作者に伝達するための開口でもある。フロントパネル１２の左上の位置には、交換媒体用のトレイ５０が設けられる。媒体交換時にトレイ５０はフロントパネル１２から手前側に飛び出すように移動する。
【００１８】
図２は、外装を外した情報処理装置１の内部を左方向から見た斜視図である。図２は、図1の情報処理装置１から、トップカバー１０とフロントパネル１２をはずした状態の図である。情報処理装置１の内部は、内部の要素部品の取付ベースとなる筐体２００を骨組みとして構成される。なお、本図では、図面の煩雑さを避けるために、本実施形態の説明内容との関係性の薄い、要素部品、例えばＣＰＵ、各種電気基板、電源 、ファン等の図示を、省略している。ＣＰＵは、情報処理装置１の全体を制御するものである。各種電気基板には、例えばＲＡＭメモリやＡＳＩＣあるいはＩ／Ｏ用ＩＣ等が実装される。電源は、外部から供給されたＡＣ電源を元に、ＣＰＵや各ＩＣに必要な電圧変換等して供給する。ファンは、外部と空気を循環させて筺体内部で発生した熱を逃がすためのものである。
【００１９】
筐体２００は、情報処理装置１の外観と同様な略直方体で、箱型の形状である。筐体２００は、前面を保護する筐体前面部２１０、後面を保護する筐体後面部２３０、右側面を保護する筐体右側面部２４０、左側面を保護する筐体左側面部２５０、底面を保護する筐体底面部２６０を、有する。上記各部は例えば金属性の板金で製造され、これらをネジあるいは溶接等の結合手段を介して箱型の筐体２００として組み立てられる。
【００２０】
筐体前面部２１０は、図１１等にて後述するように複数の面から構成される。筐体前面部２１０の中で、ハードディスク６０等が取り付けられる面であって、フロントパネル１２の裏面に対抗する面を区別する必要がある場合には、これを搭載面（あるいは搭載部）２１１と呼ぶ。搭載面２１１は、ほぼ垂直な面である。また、筐体前面部２１０は、搭載面２１１の上端から連続するように、横幅全体に渡って後ろ方向に短い長さの上面部２２５が有している。これは、搭載面２１１に多数の開口や通気孔を設ける為、補強の役目を果たしている。
【００２１】
筐体前面部２１０の搭載面２１１の右上の位置に、通気孔２１６が設けられる。通気孔２１６は、フロントパネル１２の通気孔に対応する位置に設けられる。搭載面２１１には、通気孔２１６の右に隣接する位置であって、右上隅に、スピーカユニット１００が設けられる。
【００２２】
また、搭載面２１１には、左下に、ハードディスク６０を取り付けるための横長のハードディスク用開口２１２、左上にはトレイ５０用の横長のトレイ用開口２１４が、それぞれ設けられる。ハードディスク６０は、ハードディスク用開口２１２から、外した位置に示す。
【００２３】
トレイ５０は、交換可能な回転媒体（例えば、ＣＤやＤＶＤ）からデータを記録再生するためのメディアドライブのメディア交換用のものである。トレイ５０は、内臓モータによって前後への移動可能で、メディア交換時に前面側に移動される。なお、図１からもわかるように、通常使用時に、ハードディスク６０はフロントパネル１２によって遮蔽されている。ハードディスク６０の着脱交換は、フロントパネル１２を外して行われる。
【００２４】
筐体後面部２３０には、拡張ボードを増設するためのスロット、ファン用の通気口、電源コンセントの開口あるいはインターフェースコネクタ用の開口が各種設けられる。また、筐体右側面部２４０及び筐体左側面部２５０には、トップカバー１０を固定するためのネジ孔等が、適宜設けられる。
【００２５】
筐体底面部２６０には、ＣＰＵあるいは電気基板等の内部の要素部品を取り付けるために、内部にネジ孔が形成された円柱状のスタッドが複数設置される。なお、上述したように、要素部品の記載は省略している。これら筐体前面部２１０、筐体後面部２３０、筐体右側面部２４０、筐体左側面部２５０及び筐体底面部２６０が、ネジ、カシメあるいは溶接等の締結手段によって結合されて、全体として強請のある構造体を構成する。
【００２６】
図３は、図２と同様な外装を外した情報処理装置１の内部を、右方向から見た斜視図である。なお、本図では、筐体前面部２１０からスピーカユニット１００が取り外された状態を示す。搭載面２１１の右上隅に、スピーカを取り付けるためのスピーカ用開口２２０が設けられる。また、本図では、図２では外された状態のハードディスク６０が装填された状態で示す。
【００２７】
図４は、ハードディスク６０を拡大して示す図である。ハードディスク６０は、ＨＤ（ハードディスク）本体６２とこのＨＤ本体６２を保持するためのＨＤシャーシ６４を有する。ＨＤ本体６２は、その内部にデータ記録用の媒体であるディスク、記録再生用ヘッドや記録再生回路等を有している。ＨＤシャーシ６４は、左右の側面部６５とこれをつなぐ底面部を有し、左右の側面部６５で、ＨＤ本体６２を側面で保持する。ＨＤシャーシ６４は、例えば金属板を折り曲げて形成される。なお、ＨＤシャーシ６４とＨＤ本体６２の保持部分には振動を抑制するゴム等の緩衝部材を適宜入れても良い。スピーカあるいはその他外部からの振動を減衰させるためである。
【００２８】
左右の側面部６５の手前側には、それぞれ外側に張り出すような方向にＨＤ取付け部６６が設けられる。２つのＨＤ取付け部６６には、取付用ネジを貫通させる孔として、それぞれ外側の両サイドが開放された切欠きが設けられる。ハードディスク６０の着脱を容易にするためである。
【００２９】
図５は、図３で示した筐体前面部２１０の中で、ハードディスク６０及びトレイ５０の部分を拡大して示す図である。トレイ５０は、トレイ用開口２１４から、多少前側に移動した位置にある。ハードディスク６０は、筐体前面部２１０に装填された位置にある。搭載面２１１のハードディスク用開口２１２の左右には、装填されるハードディスク６０のＨＤ取付け部６６の開口に対応する位置に、取付け孔２２２が形成されている。所定のネジ（不図示）を左右の取付け孔２２２に締結することによって、装填されたハードディスク６０は、筐体前面部２１０に取り付けられる。
【００３０】
図６は、図３で示した筐体前面部２１０の中で、右側のスピーカ搭載部分を拡大して示す図である。筐体前面部２１０の搭載面２１１の右上には、通気孔２１６が形成され、通気孔２１６の右端に隣接するように、スピーカ用開口２２０が形成される。本実施形態では、スピーカ用開口２２０を、横長の略四角の孔で、四角の四隅が内側に張り出した形状として示すが、スピーカユニット１００が取付可能な程度の形状であればよく、この形状には限られるものではない。詳細は後述する。
【００３１】
図５、図６で示したように、搭載面２１１は、ハードディスク６０搭載用のハードディスク用開口２１２と当該搭載されるハードディスクを取り付けるための取付部および上記スピーカ搭載用のスピーカ用開口２２０がそれぞれ設けられて上記筐体前面部の外側の面を形成するものである。
【００３２】
図７から図１０を用いて、スピーカユニット１００を構成する各パーツの形状及びスピーカユニット１００の全体構成を説明する。
図７は、スピーカユニット１００を構成する各パーツを、組立て方向に沿って並べた斜視図である。スピーカユニット１００は、図面の左から、ネジ１８２（４本）、スペーサ１８０（４本）、スピーカ本体１１０、クッション１２０、ＳＰ（スピーカ）取付部材１４０、ＳＰ（スピーカ）押え部材１７０を有する。
【００３３】
ネジ１８２は、クッション１２０をＳＰ取付部材１４０に保持するものである。スペーサ１８０は、中空のパイプ形状で、クッション１２０の４隅に挿入され、内部をネジ１８２が貫通する。スペーサ１８０は、ネジ１８２によってクッション１２０をＳＰ取付部材１４０に保持させる際に、ネジ１８２の頭部でクッション１２０を直接押圧させないためのものである。スピーカ本体１１０は、情報処理装置１に設けられた不図示のスピーカアンプから加えられる電気信号によって、警告音あるいは音声ガイド等を操作者に対して、矢印１１８を発音方向として、発音する。この時、スピーカ本体１１０が振動する。
【００３４】
クッション１２０は、スピーカ本体１１０に生ずる発音時の振動がＳＰ取付部材１４０に伝達されないようにするための、防振材である。
ＳＰ取付部材１４０は、クッション１２０を介してスピーカ本体１１０を保持して、当該スピーカを筐体前面部２１０の所定位置に取り付けるためのものである。ＳＰ取付部材１４０は、クッション１２０を保持するための枠部（保持枠とも称す）１５０と、枠部１５０の後方に延びて筐体前面部２１０に取付けられるための後方取付部１６０を有する。
【００３５】
ＳＰ押え部材１７０は、スピーカ本体１１０等が取付けられたＳＰ取付部材１４０を筐体前面部２１０に固定するものである。ＳＰ押え部材１７０は、上面部１７２と、上面部１７２に対して所定間隔空けて平行に設けられる底面部１７４を有するＵ字状部材である。例えば板金の曲げ加工で作成される。また、ＳＰ押え部材１７０の横幅をＬ１とする。
【００３６】
上面部１７２には、左右の１箇所づつに取付け孔１７６が設けられる。ネジ１８４は下方向に向かって装填される。後方取付部１６０の後端と筐体前面部２１０の一部が重ねられ、ＳＰ押え部材１７０は、この重ねられた部分を、底面部１７４と上から締め付けるネジ１８４によって挟み込む。これにより、後方取付部１６０の後端が筐体前面部２１０に固定される。そのため、ＳＰ押え部材１７０は、ネジ１８４による締め付け力によってＳＰ押え部材１７０自身が変形しないように、十分な剛性を備えることが望ましい。例えば、ＳＰ取付部材１４０の板厚の２倍以上の板厚があれば望ましい。なお、クッション１２０、ＳＰ取付部材１４０及びＳＰ押え部材１７０をまとめてスピーカ保持部１０２とも称す。
【００３７】
図８は、スピーカ本体１１０の外観を示す図である。図８（Ａ）は、スピーカ本体１１０の４面図である。中央がスピーカ本体１１０の正面図で、上が上面図、下が底面図、右が右側面図である。また、図８（Ｂ）は、図７と同様な方向から見た、スピーカ本体１１０の斜視図である。図８（Ａ）の正面図で示すように、スピーカ本体１１０の全体は正面から見て略四角形状である。スピーカ本体１１０は、振動板１１２、振動板１１２を支えるフレーム１１４、コア及び配線１１６等を有する。振動板１１２の中心軸が、振動中心軸１１３である。振動板１１２は、正面の主要な範囲を占め、全体として正面から見て楕円形状である。振動板１１２の周囲がフレーム１１４で、振動板１１２はフレーム１１４で支えられる。振動板１１２の振動方向は、図８（Ａ）、図８（Ｂ）の矢印で示すようにスピーカの正面に対し、前後方向に振動する。また、図８（Ｂ）に、スピーカ本体１１０による発音方向１１８を示す。
【００３８】
図９は、クッション１２０の外観形状を示す図である。図９（Ａ）は、クッション１２０の４面図である。図９（Ａ）の中央が正面図で、上が上面図、下が底面図、右が右側面図である。また、図９（Ｂ）は、図７と同様な方向から見た、クッション１２０の外観斜視図である。クッション１２０は、スピーカ本体１１０の振動を吸収するような材質、例えば、多孔質の弾性部材、具体的には、ウレタンゴムラバーのような素材である。クッション１２０は、例えば、このような素材から一体的に成型で製造される。
【００３９】
クッション１２０は、枠組みとなるフレーム１２２と、フレーム１２２の左右に2箇所づつ計４箇所設けられたフランジ１３０からなる。フレーム１２２は、スピーカ本体１１０を保持するもので、厚さの薄い額縁の形状である。フレーム１２２の額縁の前面側の左右４隅に、内側に張り出すように斜めにカットされた薄肉の壁面Ａ１２４が設けられる。同様に、フレーム１２２の額縁の背面側の左右４隅に、内側に張り出すような薄肉の壁面Ｂ１２３が設けられる。壁面Ｂ１２３の4箇所の内側部分が開口１２６となる。壁面Ｂ１２３は、壁面Ａ１２４よりもよりさらに内側に張り出している。そして、壁面Ａ１２４と壁面Ｂ１２３の間の空間部分が４箇所の収納部１２５を構成する。４箇所の収納部１２５には、スピーカ本体１１０のフレーム１１４の４つの角部が挿入される。
【００４０】
また、各フランジ１３０は、フレーム１２２より奥行き方向に１段低く（薄肉）形成され、各フランジ１３０には、中央に取付け孔１３２が設けられる。取付け孔１３２は、スピーカ本体１１０が保持されたクッション１２０を枠部１５０に取り付けるためのネジ１８２を貫通させる孔である。各取付け孔１３２には、スペーサ１８０が挿入され、スペーサ１８０内部をネジ１８２が貫通する。スペーサの形状の詳細は図１４で説明する。
【００４１】
スピーカ本体１１０は、柔軟性のあるクッション１２０を弾性変形させて、スピーカ本体１１０のフレーム１１４の４隅を収納部１２５に挿入するようにして、クッション１２０に組み付けられる。このように、スピーカ本体１１０は、フレーム１１４の４隅で軽く支えられようにクッション１２０で保持されるので、スピーカの振動がクッション１２０に伝播されるのを防止できる。また、スピーカ本体１１０の背後のコアや配線１１６は、開口１２６を通してクッション１２０の奥側に飛び出た状態となる。
【００４２】
図１０は、ＳＰ取付部材１４０の外観形状を示す図である。図１０（Ａ）は、ＳＰ取付部材１４０の３面図である。下がＳＰ取付部材１４０の正面図で、上が上面図、その隣が側面図である。また、図１０（Ｂ）は、後ろ側から見た、ＳＰ取付部材１４０の斜視図である。本実施形態では、ＳＰ取付部材１４０が、別体で作成された枠部１５０と後方取付部１６０を結合して構成された例を示している。具体的には、枠部１５０と後方取付部１６０が金属板を曲げ加工して作成され、スポット溶接で結合された例である。枠部１５０と後方取付部１６０を一体で作成してももちろん良い。
【００４３】
枠部１５０はスピーカ本体１１０の背面側から当該スピーカの外形を囲むように保持するものである。図１０（Ａ）の正面図に示すように、枠部１５０は、前面がほぼ開放され深さの浅い4角の箱を、その長手方向が横向きになるような姿勢で、立てたような形状である。枠部１５０の奥行き側の面の中央には、大きな開口が設けられる。枠部１５０は、箱状の形状にすることで剛性が高まり、スピーカ振動による共振を防止する。箱の左右の側面の一部から内側に方向に、クッション１２０を取付けるための当てつけ部１５２が設けられる。当てつけ部１５２は、箱の４隅に当たる部分に設けられ、各当てつけ部１５２には取付け孔１５３が設けられる。取り付けられるスピーカ本体１１０の振動中心軸１１３の位置を枠部１５０に重ねて示す。
【００４４】
後方取付部１６０は、前側方向の先端がスポット溶接によって、ＳＰ取付部材１４０に固定される。図１０（Ａ）の正面図にスポット溶接される位置をスポット溶接部１６６で示す。後方取付部１６０は、枠部１５０の開口に溶接され、その位置から奥行き方向に延伸し、途中で斜めに１段低くなるように設けられから、後部に幅広の平面状の固定部１６２を有する。つまり、固定部１６２は、上記枠部１５０の外縁から当該スピーカ本体１１０の振動板１１２の中心寄りの位置を起点として、当該スピーカの発音方向１１８とは逆方向に延伸した箇所に設けられる。なぜなら、固定部１６２までの、スピーカ本体１１０の振動中心軸１１３からの腕の長さが短いほど、振動により発生するモーメント力を小さく抑えることができるからである。
【００４５】
また、固定部１６２の左右の両端には、上方向にわずかに突出した形状で２つのストッパー１６４が設けられる。また、２つのストッパー１６４の間の間隔Ｌ２は、ＳＰ押え部材１７０の横幅Ｌ１より、わずかに大きく設定される。
【００４６】
図１１から図１３を用いて、スピーカユニット１００の筐体前面部２１０への取り付け（組立て）を説明する。図１１は、スピーカユニット１００の筐体前面部２１０への取り付け（組立て）を説明する第１の図である。図１１は、図３とは逆に、情報処理装置１の後ろ側から筐体前面部２１０の右側を見た図である。
【００４７】
図１２は、スピーカユニット１００が取り付けられた筐体前面部２１０の部分を、前面右方向から見た斜視図である。図１２（Ａ）は、取り付けられたスピーカユニット１００を、スピーカ本体１１０とクッション１２０を外した状態で示す図である。筐体前面部２１０に対するＳＰ取付部材１４０の枠部１５０との位置関係を示すための図である。図１２（Ｂ）は、スピーカユニット１００が取り付けられた筐体前面部２１０の部分をそのまま示す図である。
【００４８】
図１３は、スピーカユニット１００が取り付けられた筐体前面部２１０の部分を断面で示す図である。図１３（Ａ）は、当該部分を上面から見た図である。図１３（Ｂ）は、当該部分を正面から見た図である。図１３（Ｃ）は、図１３（Ｂ）のＭＭ線に沿った、要部の断面図である。
【００４９】
まず図１１と図１３（Ｃ）を用いて、筐体前面部２１０のスピーカ取付付近の形状を簡単に説明する。筐体前面部２１０は、搭載面２１１の上端から内部に向かう方向で短いスパンで、全幅で上面部２２５を有する。さらに、上面部２２５の幅方向で右端から不図示のトレイ用開口２１４の手前（横）までに沿って、上面部２２５の端部から底面方向に向かい、内壁部２２６が設けられる。
【００５０】
内壁部２２６の高さは、上面部２２５から筐体の高さの半分くらいまでである。内壁部２２６は、搭載面２１１に略平行な面となる。内壁部２２６の全面には、通気孔が設けられる。さらに、上記スピーカ開口が設けられた位置の後ろ側で上記搭載部の主面（搭載面２１１）に対して交差する方向で筐体内部に向かって平板状に張り出すよう取付け面（取付け部とも称す）２２４が設けられる。なお、本実施形態では、筐体前面部２１０の上面部２２５、内壁部２２６、取付け面２２４を、板金を連続的に折り曲げて製作したもので示すが、製造法はこれに限られるものではない。
【００５１】
図１１に戻る。図１１（Ａ）は、スピーカユニット１００を取り付ける前と途中の状態を示す斜視図である。図１１（Ｂ）は、スピーカユニット１００を取り付けた後の状態を示す図である。
【００５２】
図１１（Ａ）から説明する。スピーカユニット１００が取り付けられる箇所は、筐体前面部２１０と筐体右側面部２４０で囲まれる箇所（取付面２２４）である。筐体２００の外に示されるスピーカユニット１００は、取付前の位置を示すものである。ここでは、スピーカユニット１００を、固定部１６２を実線の形状で示し、スピーカ本体１１０とクッション１２０と枠部１５０は、まとめて破線形状で省略して示す。
【００５３】
上記の位置から、スピーカユニット１００は、筐体前面部２１０のスピーカ用開口２２０から、後方取付部１６０の固定部１６２を先頭にして筐体２００の内部に挿入される。固定部１６２を筐体前面部２１０の取付け面２２４の下面を滑らせるように通過させて、ストッパー１６４が取付け面２２４の端面にかかる位置まで、スピーカユニット１００は移動される。この位置が、前後方向でのスピーカユニット１００の取付け位置である。取付け位置まで移動された固定部１６２を破線で示す。
【００５４】
次に、ＳＰ押え部材１７０を、ＳＰ押え部材１７０の上面部１７２と底面部１７４で、固定部１６２と取付け面２２４を挟み込むように、矢印方向（後側から前側に向かった）に沿って、挿入する。
【００５５】
この段階では、ネジ１８４は、ＳＰ押え部材１７０に緩めた状態で装填されている。ＳＰ押え部材１７０で固定部１６２と取付け面２２４を挟み込んでから、ネジ１８４を締め付ける。ＳＰ押え部材１７０の前方向の位置は、ＳＰ押え部材１７０の内側が取付け面２２４の端面に当てつく位置である。また、ＳＰ押え部材１７０は、図のようにＳＰ取付部材１４０のストッパー１６４の間に挟まるように取り付けられる。前述したように、ＳＰ押え部材１７０の横幅Ｌ１は、ストッパー１６４の間隔Ｌ２よりわずかに狭く設定されている。
【００５６】
ＳＰ押え部材１７０で固定された状態を、図１１（Ｂ）に示す。ＳＰ押え部材１７０と固定部１６２とＳＰ押え部材１７０との位置関係を示す図である。ネジ１８４は、下方向に締め付けられた状態である。
【００５７】
この取付けられた状態の断面を示すのが、図１３（Ｃ）である。スピーカユニット１００として、スピーカ本体１１０とクッション１２０を断面で示す。スピーカ本体１１０は、発音方向１１８が略水平方向で、発音方向１１８が垂直な方向の搭載面２１１と直交するように取り付けられる。
【００５８】
筐体前面部２１０から内側に水平に張り出した取付け面２２４の下に固定部１６２が重なっている。そして、ＳＰ押え部材１７０の底面部１７４によって固定部１６２が下から押えられ、ＳＰ押え部材１７０の上面部１７２に装填されたネジ１８４の先端によって、取付け面２２４が上から押えられる。これにより、固定部１６２が取付け面２２４に密着され、スピーカユニット１００は筐体前面部２１０に固定される。そして、ネジの押圧する向きは、スピーカユニット１００の振動中心軸１１３あるいは発音方向１１８に対して垂直な向きである。
【００５９】
つまり、締結部材であるネジの締結方向が当該スピーカの発音方向１１８に対して直交する方向になるように、上記固定部１６２は上記筐体前面部２１０に固定されて、上記スピーカユニット１００が上記筐体前面部２１０に取り付けられる。なお、ＳＰ押え部材１７０は、押圧して固定するので、上面部１７２を  第１の押圧部１７２と、底面部１７４は第２の押圧部１７４とも呼ぶ。
【００６０】
取付け面２２４に対する、取付後のＳＰ押え部材１７０と後方取付部１６０の上から見た位置関係を図１３（Ａ）に示す。後方取付部１６０の形状は破線で示す。
【００６１】
図１４は、筐体前面部２１０に取り付けられたスピーカユニット１００の断面を、図１３とは異なる態様で示す図である。図１４（Ａ）は、図１３（Ｂ）のＭＭ線で断面された要部の図である。本図は、スピーカユニット１００が筐体前面部２１０の搭載面２１１に対して、隙間Ｓだけ空けて、取り付けられることを示す。
【００６２】
図１２（Ｂ）でも示したように、スピーカユニット１００は筐体前面部２１０に取り付けられた状態では、スピーカ本体１１０及び枠部１５０は、搭載面２１１のスピーカ用開口２２０から前側に飛び出る位置にある。そして、枠部１５０の裏面が搭載面２１１に直接接しないように、上記枠部１５０が搭載面２１１より所定の隙間Ｓ空けた位置になるように、スピーカユニット１００は取り付けられる。また、特に図示はしないが、スピーカユニット１００は、その後方取付部１６０がスピーカ用開口２２０の上下左右の端面にも接触しないようにも取り付けられる。
【００６３】
このように、スピーカユニット１００を搭載面２１１に対して直接接しないように取り付けることで、筐体前面部２１０に直接取り付けられているハードディスク６０へのスピーカ振動の伝達をより低減することができる。なお、所定の隙間Ｓを空けるためにＳＰ取付け部材１７０位置を調整する必要はなく、取付け面２２４の端部に当接するストッパー１６４により、ＳＰ取付け部材１７０は、その前後位置が所定の隙間Ｓが空くような位置に設定される。なお、隙間Ｓとしては、例えば、０．２ｍｍ以上あればよい。
【００６４】
図１４（Ｂ）は、図１３（Ｂ）のＮＮ線による断面図である。スピーカユニット１００の右側のスペーサを中心とした縦方向の断面である。図１４（Ｃ）は、そのスペーサ１８０と、筐体前面部２１０、枠部１５０以外の部材を省略して示した図である。図１４（Ｃ）のスペーサ１８０の部分Ｒを拡大した図が、図１４（Ｄ）である。なお、Ｒ部で代表して説明するが、スペーサ１８０の他の３か所も同様である。
【００６５】
図１４（Ｄ）は、クッション１２０を枠部１５０に取付けた状態で、ネジ１８２の頭部がクッション１２０のフランジ１３０をつぶさないように、スペーサ１８０の形状が構成されていることを説明する図である。つまり、スペーサ１８０の長手（軸）方向の長さは、クッション１２０の取付け孔１３２のフリーの肉厚よりも長さｔだけ長くなって設定される。これにより、ネジ１８２を当てつけ部１５２の取付け孔１５３に装填した状態で、ネジ１８２の頭部が取付け孔１３２に挿入されたスペーサ１８０の先端で確実にストップされ、ネジ１８２の頭部がクッション１２０のフランジ１３０をつぶすことはない。なお、ｔは、例えば０．５ｍｍ程度である。クッション１２０が常につぶされない状態で保持されるので、つぶれ量の大小による振動伝播のばらつきをなくすことができる。
【００６６】
図１５は、スピーカユニット１００が取り付けられた筐体前面部２１０の部分を示す図である。図１５（Ａ）は、スピーカユニット１００が取り付けられた筐体前面部２１０を前面方向から見た図である。図１５（Ｂ）は、その上面図で、図１３（Ａ）と同様な図である。SP押え部材１７０によって、スピーカユニット１００は、筐体前面部２１０の取付け面２２４に取付けられている。
【００６７】
図１５（Ｂ）は、図１４（Ａ）で説明したように、スピーカユニット１００が筐体前面部２１０の表面に直接接しないように、枠部１５０の背面と筐体前面部２１０の搭載面２１１の間に隙間Ｓがあくように、取り付けられる様子を、強調して示す図である。
【００６８】
図１６は、従来のスピーカ取付けの１例を示す図である。本実施形態と比較するためである。なお、簡便のために、筐体前面部２１０およびスピーカ本体１１０を本実施形態のものと実質同一形状で示す。
【００６９】
図１６（Ａ）は、スピーカ本体１１０が取り付けられる前の筐体前面部２１０の形状を斜視図で示す。図１６（Ｂ）〜図１６（Ｄ）は、スピーカ本体１１０が取り付けられた状態を示す図である。図１６（Ｂ）は、スピーカ本体１１０が取り付けられた付近の筐体前面部２１０を斜視図で示す。図１６（Ｃ）は、スピーカ本体１１０が取り付けられた付近の筐体前面部２１０を上面から見た図である。図１６（Ｄ）は、同様に、前面（正面）から見た図である。
【００７０】
図１６（Ａ）に示すように、筐体前面部２１０の右上には、スピーカ開口３００が設けられる。そして、従来の筺体では、スピーカ開口３００の周囲には、スピーカ取付用の取付け孔３１０が形成されている。この例では、取付け孔３１０が4か所設けられている。そして、板状のクッションを介してスピーカ本体１１０がネジ４か所によって、筐体前面部２１０に取り付けられる。しかし、この方式では、クッションだけではスピーカ本体１１０の振動を十分に減衰させることは難しく、スピーカ本体１１０の振動が筐体前面部２１０の表面を伝播して、筐体前面部２１０の表面に取り付けられるハードディスクに伝達され、ハードディスクの読み取りに悪影響を及ぼすことがしばしばあった。
【００７１】
本実施形態による代表的な作用効果を列記する。
１  スピーカの背面側にスピーカの発音方向とは逆方向に伸びる部材（後方取付部）を設け、締結部材（ネジ１８４）による締結方向をスピーカの発音方向に直交する方向にしたので、締結部材の締結方向が発音方向に平行な場合に比べて、スピーカの振動を抑制する効果が高い。
２  スピーカの取付位置を、筐体前面部の表面ではなく、筐体前面部から内部に延伸した位置にしたので、ハードディスクまでの伝達部材の長さを長くすることができ、振動を減衰させることができる。
３  スピーカの振動中心軸からの腕の長さの短い位置に後方取付部が設けられるので、腕の長さが長い場合に比べて、スピーカの振動による回転モーメントの発生を少なくすることができる。
４  クッションがスペーサによりつぶされずに取付けられるので、つぶし代のバラつきによる、振動伝達のばらつき（不安定要因）をなくすことができる。
５  スピーカユニットが、筐体前面部の搭載面には直接は接触しないように取り付けられるので、ハードディスクが取り付けられる搭載面への振動を低下させることができる。
６  筐体前面部の無用な振動（ビビリ）が抑えられることによって、筐体前面部の共振が低下して、スピーカ自体の音質を向上させることもできる。
また、本発明は上述した実施形態そのままに限定されるものではく、実施段階でのその要旨を逸脱しない範囲で構成要素を変形して具体化することができる。また、上記実施形態に開示されている複数の構成要素の適宜な組み合わせにより、種々の発明を形成することができる。例えば、実施形態に示される全構成要素を適宜組合わせても良い。さらに、異なる実施形態にわたる構成要素を適宜組合わせてもよい。このような、発明の趣旨を逸脱しない範囲内において種々の変形や応用が可能であることはもちろんである。
【００７２】
また、本実施形態では、情報処理装置に上記スピーカ取付装置を適用した場合を説明したが、ハードディスクとスピーカが近接するような装置、例えば、ハードディスク内蔵の薄型テレビ等にも適用できる。
【符号の説明】
【００７３】
１      情報処理装置
１０      トップカバー
１２      フロントパネル
５０      トレイ
６０      ハードディスク
６２      HD本体
６４      HDシャーシ
６５      側面部
６６      HD取付け部
１００      スピーカユニット
１０２      スピーカ保持部
１１０      スピーカ本体
１２０      クッション
１４０      SP取付部材
１５０      枠部
１６２      固定部
１７０      SP押え部材
１８０      スペーサ
２００      筐体
２１０      筐体前面部
２１１      搭載面
２１２      ハードディスク用開口
２１４      トレイ用開口
２１６      通気孔
２２０      スピーカ用開口
２２４      取付け面
２３０      筐体後面部
２４０      筐体右側面部
２５０      筐体左側面部
２６０      筐体底面部
【図１】
0005658648.tif 000002
【図２】
0005658648.tif 000003
【図３】
0005658648.tif 000004
【図４】
0005658648.tif 000005
【図５】
0005658648.tif 000006
【図６】
0005658648.tif 000007
【図７】
0005658648.tif 000008
【図８】
0005658648.tif 000009
【図９】
0005658648.tif 000010
【図１０】
0005658648.tif 000011
【図１１】
0005658648.tif 000012
【図１２】
0005658648.tif 000013
【図１３】
0005658648.tif 000014
【図１４】
0005658648.tif 000015
【図１５】
0005658648.tif 000016
【図１６】
0005658648.tif 000017